Podtech/llm-jp-corpus-v4-ja_patent huggingface dataset:
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
オブジェクトが登場する仮想の３次元空間を仮想カメラから見た画像を表示する表示装置と、当該表示装置の画面上の位置を指定するための入力装置とを有する入力処理装置のコンピュータで実行される入力処理プログラムであって、
前記仮想カメラのパラメータの値を設定する第１のカメラ設定ステップと、
前記第１のカメラ設定ステップにおいて設定されたパラメータに従って前記仮想カメラから見た画像を前記表示装置に表示させる第１の表示ステップと、
前記第１の表示ステップによって前記仮想カメラから見た画像が表示されているときに前記入力装置によって指定されたオブジェクトを特定するオブジェクト特定ステップと、
前記特定されたオブジェクトをズームアップするように前記仮想カメラのパラメータの値を変更する第２のカメラ設定ステップと、
前記第２のカメラ設定ステップにおいて変更された後のパラメータに従って前記仮想カメラから見た画像を前記表示装置に表示させる第２の表示ステップと、
前記オブジェクト特定ステップにおいてオブジェクトが特定された後、前記入力装置からの入力が行われていない状態が所定時間以上継続したか否かを判別する第１の条件判別ステップと、
前記第１の条件判別ステップにおいて前記入力装置からの入力が行われていない状態が所定時間以上継続したことが判別されたとき、前記仮想カメラのパラメータの値を前記第１のカメラ設定ステップにおいて設定した値に戻す第３のカメラ設定ステップとを前記コンピュータに実行させる、入力処理プログラム。
【請求項２】
前記オブジェクト毎に所定の領域を設定する領域設定ステップをさらに前記コンピュータに実行させ、
前記オブジェクト特定ステップにおいて、前記領域が指定されるときに前記オブジェクトが特定されることを特徴とする、請求項１記載の入力処理プログラム。
【請求項３】
前記領域設定ステップにおいて設定される領域は球であることを特徴とする、請求項２記載の入力処理プログラム。
【請求項４】
前記第２のカメラ設定ステップにおいて、前記仮想カメラの注視点を前記特定されたオブジェクトの所定点に合わせるとともに前記仮想カメラの画角を前記特定されたオブジェクトに設定されている前記領域に基づいて設定することで前記仮想カメラのパラメータの値が変更される、請求項２記載の入力処理プログラム。
【請求項５】
前記オブジェクト特定ステップにおいてオブジェクトが特定されたとき、前記入力装置からの入力が継続して行われている時間が第１の所定値を越えたか否かを判定する第２の条件判別ステップを更に前記コンピュータに実行させ、
前記第２のカメラ設定ステップは、前記第２の条件判別ステップにおいて第１の所定値を越えたことが判別されたとき、前記パラメータの値を変更することを特徴とする、請求項１記載の入力処理プログラム。
【請求項６】
前記オブジェクト特定ステップにおいてオブジェクトが特定されたとき、前記入力装置からの入力が継続して行われている時間が第２の所定値を越えたか否かを判別する第３の条件判別ステップをさらに前記コンピュータに実行させ、
前記第３のカメラ設定ステップは、前記第３の条件判別ステップにおいて第２の所定値を越えたことが判別されたとき、記仮想カメラのパラメータの値を前記第１のカメラ設定ステップにおいて設定した値に戻す、請求項１記載の入力処理プログラム。
【請求項７】
前記第２の表示ステップによって前記仮想カメラから見た画像が表示されているときの前記入力装置からの入力に基づいて前記オブジェクトを制御するオブジェクト制御ステップと、
前記オブジェクト制御ステップによる制御に基づいて前記第２の所定値を設定する第２の所定値設定ステップとをさらに前記コンピュータに実行させる、請求項６記載の入力処理プログラム。
【請求項８】
オブジェクトが登場する仮想の３次元空間を仮想カメラから見た画像を表示する表示装置と、当該表示装置の画面上の位置を指定するための入力装置と、
前記仮想カメラのパラメータの値を設定する第１のカメラ設定手段と、
前記第１のカメラ設定手段において設定されたパラメータに従って前記仮想カメラから見た画像を前記表示装置に表示させる第１の表示手段と、
前記第１の表示手段によって前記仮想カメラから見た画像が表示されているときに前記入力装置によって指定されたオブジェクトを特定するオブジェクト特定手段と、
前記特定されたオブジェクトをズームアップするように前記仮想カメラのパラメータの値を変更する第２のカメラ設定手段と、
前記第２のカメラ設定手段において変更された後のパラメータに従って前記仮想カメラから見た画像を前記表示装置に表示させる第２の表示手段と、
前記オブジェクト特定手段においてオブジェクトが特定された後、前記入力装置からの入力が行われていない状態が所定時間以上継続したか否かを判別する第１の条件判別手段と、
前記第１の条件判別手段において前記入力装置からの入力が行われていない状態が所定時間以上継続したことが判別されたとき、前記仮想カメラのパラメータの値を前記第１のカメラ設定手段において設定した値に戻す第３のカメラ設定手段とを有する入力処理装置。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
遊技を制御する遊技制御装置と、
３列の図柄を２列の先停止列及びその残り１列の最終停止列として表示する画像表示装置と、
前記遊技制御装置から送信される図柄に関するコマンドを受信し、そのコマンドに基づいた上記画像表示装置における複数列の図柄の表示を制御する画像制御装置と
を備えた弾球遊技機において、
前記弾球遊技機には、
遊技領域に設けられた所定の入賞口に入賞したことに基づいて、乱数を取得する乱数取得手段と、
上記乱数取得手段により取得した乱数を参照し、その乱数の当選又は非当選を判定する乱数判定手段と、
上記乱数判定手段の判定結果に基づいて前記画像表示装置に表示する図柄の列の各々における停止図柄を決定する停止図柄決定手段と、
上記停止図柄決定手段により決定された停止図柄の組合せに基づいて、各図柄の変動開始から図柄停止までの変動パターンを決定する変動パターン決定手段と
が備えられ、
前記変動パターンは、少なくとも、
前記先停止列に表示される停止図柄がリーチを構成するものである場合に選択される複数のリーチ変動パターンと、
前記先停止列に表示される停止図柄がリーチを構成するもの以外の場合に選択されるハズレ変動パターンと
を含み、
前記各リーチ変動パターンは、前記先停止列のうちの一方の列において、当該停止図柄に基づいて決定される図柄であって、リーチを構成しない仮停止図柄を仮停止させた後、当該仮停止図柄と当該停止図柄との差分に相当する図柄数分だけ変動表示させることにより当該停止図柄へ変換表示するものであり、
前記先停止列のうちの前記一方の列の仮停止図柄を、リーチ変動パターンに従って、仮停止図柄と当該停止図柄との差分に相当する図柄数分だけ図柄の循環方向又は循環方向と逆方向のいずれの方向にも変動可能に形成されているものの、そのうちの一方の方向へ変動表示させることにより停止図柄へ変換表示させると、前記先停止列のうちの他方の列の図柄も、停止図柄決定手段により決定された停止図柄で停止表示させ、
その後、最終停止列を、停止図柄決定手段により決定された停止図柄で停止表示させるように形成したことを特徴とする弾球遊技機。
【手続補正２】
【補正対象書類名】明細書
【補正対象項目名】０００６
【補正方法】変更
【補正の内容】
【０００６】
（請求項１）
上記の課題に鑑み、本発明のうち請求項１記載の発明は、遊技を制御する遊技制御装置100と、３列の図柄を２列の先停止列及びその残り１列の最終停止列として表示する画像表示装置21と、前記遊技制御装置100から送信される図柄に関するコマンドを受信し、そのコマンドに基づいた上記画像表示装置21における複数列の図柄の表示を制御する画像制御装置500とを備えた弾球遊技機10において、前記弾球遊技機10には、遊技領域19に設けられた所定の入賞口に入賞したことに基づいて、乱数を取得する乱数取得手段と、上記乱数取得手段により取得した乱数を参照し、その乱数の当選又は非当選を判定する乱数判定手段と、上記乱数判定手段の判定結果に基づいて前記画像表示装置21に表示する図柄の列の各々における停止図柄を決定する停止図柄決定手段300と、上記停止図柄決定手段300により決定された停止図柄の組合せに基づいて、各図柄の変動開始から図柄停止までの変動パターンを決定する変動パターン決定手段400とが備えられ、前記変動パターンは、少なくとも、前記先停止列に表示される停止図柄がリーチを構成するものである場合に選択される複数のリーチ変動パターンと、前記先停止列に表示される停止図柄がリーチを構成するもの以外の場合に選択されるハズレ変動パターンとを含み、前記各リーチ変動パターンは、前記先停止列のうちの一方の列において、当該停止図柄に基づいて決定される図柄であって、リーチを構成しない仮停止図柄を仮停止させた後、当該仮停止図柄と当該停止図柄との差分に相当する図柄数分だけ変動表示させることにより当該停止図柄へ変換表示するものであり、前記先停止列のうちの前記一方の列の仮停止図柄を、リーチ変動パターンに従って、仮停止図柄と当該停止図柄との差分に相当する図柄数分だけ図柄の循環方向又は循環方向と逆方向のいずれの方向にも変動可能に形成されているものの、そのうちの一方の方向へ変動表示させることにより停止図柄へ変換表示させると、前記先停止列のうちの他方の列の図柄も、停止図柄決定手段により決定された停止図柄で停止表示させ、その後、最終停止列を、停止図柄決定手段により決定された停止図柄で停止表示させるように形成したことを特徴とする。
【手続補正３】
【補正対象書類名】明細書
【補正対象項目名】０００７
【補正方法】変更
【補正の内容】
【０００７】
「遊技制御装置」とは、ＣＰＵ、ＲＡＭ、ＲＯＭ等を備え、弾球遊技機10における遊技の全般を制御する装置をいう。たとえば、主基板が、そのＲＯＭに記載されたプログラムやデータに従った処理を実行することで、この遊技制御装置100として機能することとなる。
「画像表示装置」とは、液晶等の画面により図柄を表示する装置をいう。
この画像表示装置21に表示される図柄は、３列として表される。そして、各列ごとに一定の配列の図柄が変動表示され、その変動が停止した際に表示されている図柄が、その列における停止図柄として、大当たり遊技の発生の有無に関与するものとなっている。
【手続補正４】
【補正対象書類名】明細書
【補正対象項目名】０００８
【補正方法】変更
【補正の内容】
【０００８】
上記図柄の列は、前記３列のうちの２列から成る先停止列と、その残り１列の最終停止列とに分けられる。すなわち、前記３列は、全てが同時に停止するのではなく、まず、２列の先停止列が先に停止することとなっている。ここで、この２列の先停止列は、同時に全てが停止することとしても、また、所定の順番で１列ずつ停止することとしても、いずれでもよい。しかる後に、残り１列の最終停止列が停止することで、各列の停止図柄が確定することとなる。
ここで、上記先停止列で停止表示されている図柄が所定の組合せとなっている場合を「リーチ」と称する。この所定の組合せの例として、各先停止列で停止表示されている図柄がいずれも同一のものである場合が挙げられる。
【手続補正５】
【補正対象書類名】明細書
【補正対象項目名】００５２
【補正方法】変更
【補正の内容】
【００５２】
S250に示す段階においては、変動パターン決定手段400の図柄確認手段410により、当該停止図柄のコードがリーチ図柄に相当するものであるか否かが確認される。すなわち、当該停止図柄のうち左図柄と右図柄とが一致する場合には、リーチ図柄に相当することになる。リーチ図柄に相当しない場合は、S270に示す段階へ進むこととなる。一方、リーチ図柄に相当する場合には、変動パターン乱数発生手段420が発生する乱数が、変動パターン乱数取得手段430により変動パターン乱数として取得される。そして、変動パターン判定手段450が、当該変動パターン乱数を、変動パターンテーブル440のリーチ変動パターン群442と比較し、該当する変動パターンコードが決定される。そして、図１０のS300に示す段階へ進む。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
塵埃を含んだ空気を遠心力を利用して空気と塵埃とに分離して塵埃を堆積させる電気掃除機であって、
掃除機本体と、
前記掃除機本体内に着脱可能に取付けられ、塵埃を含む空気を導入する導入口および空気の出口となる開口が形成されて前記空気から分離された前記塵埃を堆積させる有底のダストカップを含む集塵部と、
前記ダストカップに形成された導電体部と、
前記掃除機本体に形成され、前記ダストカップに発生した静電気を前記導電体部を介して集電して逃がす除電部と
を備えた、電気掃除機。
【請求項２】
前記ダストカップは、
筒部と、
前記筒部の下方に取付けられた底部と
を含み、
前記底部の少なくとも表面には、前記導電体部が形成された、請求項１記載の電気掃除機。
【請求項３】
前記除電部は、
前記掃除機本体に設けられ、前記導電体部に接触して商用電力線に静電気を逃がす電極部と、
前記集塵部が前記掃除機本体に取付けられた状態で前記電極部と前記商用電力線との電気的接続を行なうスイッチ部と
を含む、請求項１または２に記載の電気掃除機。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
鼻や口等をおおうマスクにおいて、マスク本体を、上部透明マスク部と下部通気性部より構成し、該上部透明マスク部と該下部通気性部を接合して袋状に形成するとともに、本体を顔に固定するための装着手段を設けて、着用者の表情が分かるようにしたことを特徴とする透明マスク。
【請求項２】
前記透明マスク部は、軟質の透明フィルム、シート、又は、硬質の透明素材からなることを特徴とする請求項１に記載の透明マスク。
【請求項３】
前記透明マスク部に、曇止め防止剤を塗布したことを特徴とする請求項１又は２に記載の透明マスク。
【請求項４】
前記通気性部は、不織布からなる通気性素材からなることを特徴とする請求項１〜３のいずれか１項に記載の透明マスク。
【請求項５】
前記通気性素材は、防臭素材であることを特徴とする請求項４に記載の透明マスク。
【請求項６】
前記通気性部を、ジャバラ加工して伸縮自在としたことを特徴とする請求項１〜５のいずれか１項に記載の透明マスク。
【請求項７】
前記装着手段は、耳掛けバンド、鼻上部に貼り付けて固定する粘着テープ、及び頭部に係止される固定バンドから選ばれる少なくとも１つであることを特徴とする請求項１〜６のいずれか１項に記載の透明マスク。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
駆動信号に応じて所定の波長の近赤外線を発光する発光素子と、
前記発光素子が表面に形成された基板と、
前記発光素子から発光された近赤外線を収束して透過させるレンズと、
前記基板の表面において前記発光素子の周りを囲んで形成され、前記レンズを透過して収束されて入射する前記所定の波長の近赤外線を受光して受光信号を発生する受光素子と、
を備えたことを特徴とする赤外線デバイス。
【請求項２】
前記発光素子は略円板状に形成され、前記受光素子は、前記発光素子と若干の間隔をもって前記発光素子の周囲を同心円状に囲んで形成されると共に前記発光素子の発光領域よりも広い受光領域を有し、前記レンズは、その光軸が前記発光素子及び前記受光素子の中心になるように配置されていることを特徴とする請求項１に記載の赤外線デバイス。
【請求項３】
血糖値を測定するために測定の対象部位である使用者の手首に装着する腕時計型の血糖値測定装置であって、
本体の上面に設けられた表示部と、
前記本体の内部に設けられ、駆動信号に応じて所定の波長の近赤外線を発光する発光素子、前記発光素子が表面に形成された基板、前記発光素子から発光された近赤外線を収束して透過させるレンズ、及び前記基板の表面において前記発光素子の周りを囲んで形成され、前記レンズを透過して収束されて入射する前記所定の波長の近赤外線を受光して受光信号を発生する受光素子、を有する請求項１に記載の赤外線デバイスと、
前記本体の内部に設けられた制御手段と、を有し、
前記制御手段は、前記赤外線デバイスに駆動信号を与えて、前記発光素子から発光された近赤外線を前記表示部とは反対側の面に設けられた窓を通して前記対象部位に照射させ、当該対象部位内の人体成分によって反射された近赤外線を前記受光素子によって受光させて発生した受光信号に基づいて、当該対象部位内の血液のグルコース濃度を検出し、当該検出したグルコース濃度に基づいて算出した血糖値を前記表示部に表示することを特徴とする血糖値測定装置。
【請求項４】
前記本体の外面に設けられたスイッチ、前記本体の内部に設けられた時計部、及び前記本体の内部に前記検出したグルコース濃度に基づいて算出した血糖値を記憶する記憶手段をさらに備え、前記制御手段は、（１）前記スイッチの操作によって測定時刻が設定された場合には、前記時計部の現在時刻が当該設定時刻に達したときに前記赤外線デバイスに駆動信号を与えて前記発光素子から近赤外線を発光させ、（２）前記スイッチの操作によって最初の設定時刻、時間間隔、及び測定回数の条件が設定された場合には、前記時計部の現在時刻が当該条件に合致した時刻に達する毎に、前記赤外線デバイスに駆動信号を与え、前記算出した血糖値を前記記憶手段に記憶することを特徴とする請求項３に記載の血糖値測定装置。
【請求項５】
前記記憶手段は、グルコース濃度に対応する血糖値の基準データをあらかじめ記憶し、前記制御手段は、前記記憶手段に記憶された基準データに基づいて前記検出したグルコース濃度に基づく血糖値を算出することを特徴とする請求項４に記載の血糖値測定装置。
【請求項６】
前記制御手段は、前記赤外線デバイスによって発光及び受光される近赤外線を使用して外部と通信する通信機能を有し、所定の通信媒体を介して接続された所定の医療機関との間で血糖値に関連するデータを送受信することを特徴とする請求項３ないし５のいずれか１項に記載の血糖値測定装置。
【手続補正２】
【補正対象書類名】明細書
【補正対象項目名】０００５
【補正方法】変更
【補正の内容】
【０００５】
請求項１の赤外線デバイスは、第１実施形態において、図３に代表的に示されている。すなわち、駆動信号に応じて所定の波長の近赤外線を発光する発光素子１２と、発光素子１２から発光された近赤外線を収束して透過させるレンズ１４と、発光素子１２の周りを囲んで形成された受光素子１３とを有し、レンズ１４を透過して収束されて入射する所定の波長の近赤外線を受光素子１３によって受光して受光信号を発生することを特徴とする。
【手続補正３】
【補正対象書類名】明細書
【補正対象項目名】０００６
【補正方法】変更
【補正の内容】
【０００６】
請求項２に記載の血糖値測定装置は、第１実施形態において、図１、図２、図３、図７に代表的に示されている。すなわち、血糖値を測定するために、請求項１に記載の赤外線デバイスを使用して、測定の対象部位である使用者の手首に装着する腕時計型の血糖値測定装置１であって、本体２の上面に設けられた表示部３と、本体２の内部に設けられた制御部３１と、を有し、制御部３１は、本体２の内部に設けられた前記赤外線デバイス９に駆動信号を与えて、発光素子１２から発光された近赤外線を表示部３とは反対側の面７に設けられた窓８を通して、対象部位に照射させ、対象部位内の人体成分によって反射された近赤外線を受光素子１３によって受光させて、受光素子１３から発生した受光信号に基づいて、対象部位内の血液のグルコース濃度を検出し、検出したグルコース濃度に基づいて算出した血糖値を表示部３に表示することを特徴とする。
【手続補正４】
【補正対象書類名】明細書
【補正対象項目名】０００７
【補正方法】変更
【補正の内容】
【０００７】
本発明の赤外線デバイスによれば、発光素子から発光された近赤外線を人体等の対象物に照射して、対象物によって反射された近赤外線を受光素子で受光する場合に、発光素子と受光素子との微妙な光軸調整を必要とせず、その結果、量産性を向上させると共に近赤外線の利用効率高くできる。
また、本発明の赤外線デバイスを使用した血糖値測定装置によれば、血糖値測定の対象者の手首に装着することで、近赤外線によって非侵襲で血糖値を測定する際に、発光素子と受光素子との微妙な光軸調整を必要とせず、その結果、量産性が高く、且つ、近赤外線の利用効率が高い血糖値測定装置を実現できる。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
筒形状の濾布を具備し、濾布はプリーツ形状をなす成形フィルタであって、濾布の前記プリーツ形状は実質的に樹脂加工に依拠することなく縫製により保持されている成形フィルタ。
【請求項２】
請求項１に記載の発明において、実質的に樹脂加工に依拠しない濾布のプリーツ形状の保持のための前記縫製はプリーツ形状の山部若しくは谷部に近接して濾布の対向部を縫着することにより行われることを特徴とする成形フィルタ。
【請求項３】
請求項２に記載の発明において、前記縫着部は濾布のプリーツ部に沿って実質的に全長にわたり延設されている成形フィルタ。
【請求項４】
請求項１から３のいずれか一項に記載の発明において、濾布の口元部及び底部となる両端部も縫製構造であることを特徴とする成形フィルタ。
【請求項５】
請求項１から４のいずれか一項に記載の発明において、濾布のプリーツ形状部は熱硬化性の樹脂が含浸・固化されている成形フィルタ。
【請求項６】
請求項１から５のいずれか一項に記載の発明において、複数の濾布が縫製若しくはスナップ式連結具により複数段連接されている成形フィルタ。
【手続補正書】
【提出日】平成20年10月2日(2008.10.2)
【手続補正１】
【補正対象書類名】特許請求の範囲
【補正対象項目名】請求項１
【補正方法】変更
【補正の内容】
【請求項１】
円形金属板を皿状に形成した刃板の中心に機器本体の回転軸への装着孔を設け、刃板の上部側の装着孔中心の同心円上に、基部をコイル状にした強い弾発力を備えた鋼鉄線の爪を、刃板にあけた移動孔を通し地面側に向けて等間隔に数本立設させて成ることを特徴とする、刈払い機の草取り用替え刃。
【手続補正２】
【補正対象書類名】明細書
【補正対象項目名】０００８
【補正方法】変更
【補正の内容】
【０００８】  この発明に係わる刈払い機の草取り用替え刃は、円形の金属板を皿状に形成した刃板の中心に機器本体の回転軸への装着孔を設け、刃板の上部側の装着孔中心の同心円上に、基部をコイル状にした弾発力を備えた鋼鉄線の爪を、刃板にあけた移動孔を通し地面側に向けて等間隔に数本立設させ、爪が障害物に当たると爪が自由に動いて回避する移動孔を設けて成ることを特徴とするものである。
【手続補正３】
【補正対象書類名】明細書
【補正対象項目名】００１３
【補正方法】変更
【補正の内容】
【００１３】  以下、本発明の実施の形態につて説明する。図１〜図３に示した実施例の刈払い機の草取り用替え刃は、円形金属板を皿状に形成した刃板１の中心に刈払い機本体の回転軸５への装着孔２を設け、刃板１の上部側の装着孔中心の同心円上に、基部をコイル状にした弾発力備えた鋼鉄線の爪３を、刃板にあけた移動孔４を通し地面側に向けて等間隔に三本立設したもので、爪が障害物に当たると爪が自由に動いて回避する移動孔４を設けたものである。
【手続補正４】
【補正対象書類名】明細書
【補正対象項目名】００１５
【補正方法】変更
【補正の内容】
【００１５】  また、土壌を中耕し草を取る鋼鉄線の爪３は、弾発力を備え太さ約２〜３ｍｍ、長さ約３０〜４０ｍｍで基部をコイル状にした鋼鉄線の爪で、図２に示すように、皿状の円形金属板の刃板１の下面に、刃板１の上部側の装着孔中心の同心円上に等間隔に三本立設した爪３が移動孔４を通し貫通している。
鋼鉄線の爪３の取り付け方法は、図４に示すように、刃板１に鋼鉄線の爪３を刃板１にあけた移動孔４を通してコイル状の爪の基部を取付孔８にネジ止めする。
【手続補正５】
【補正対象書類名】明細書
【補正対象項目名】００１７
【補正方法】変更
【補正の内容】
【００１７】  以上のように本発明は、刃板の接地面を皿状にし、刃板の上部側に爪の基部をコイル状にした強い弾発力を備えた細い鋼鉄線の爪を、刃板にあけた移動孔を通して地面側に向けて等間隔に三本立設し、中耕する爪が小石などの障害物に当たると、爪が移動孔の中を自由に動いて回避する構造としたものを刈払い機に装着して除草するもので、刃板の接地面を皿状にする事によって刃板が地面に食い込まず、刃体の爪の作りを強い弾発力を持った細い鋼鉄線を用い、基部をコイル状にする事によって、土壌からの反作用の力による機器の振れ回りの問題が解消され、また、小石や土・除草した雑草等が周辺に飛散する問題や除草した草の根が爪に絡まる問題についても、爪の持つ構造によって解消され、本発明の刈払い機の草取り用替え刃を使用する事によって、手軽に刈払い機を草取りに使うことができ大変経済的であり、また、安全に能率的に除草作業ができる。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
永久磁石を有するロータと多相巻線を設けたステータとからなる永久磁石モータをＰＷＭ（Pulse Width Modulation）制御するように構成されていて、
前記モータの電圧，前記モータの電流，前記モータの定数より相電圧方程式に基づいて前記モータの各相誘起電圧をアナログ演算処理し、前記誘起電圧の位相関係に基づいて前記ロータの回転位置信号を生成し出力する位置検出手段と、
前記回転位置信号に基づいて、ＰＷＭ信号を生成出力し、前記モータを制御する機能を備えたディジタル処理手段とを備えたことを特徴とするモータ制御装置。
【請求項２】
前記位置検出手段は、前記ＰＷＭ信号の所定の制御周期内において、前記回転位置信号を生成する演算を完了するように構成されていることを特徴とする請求項１記載のモータ制御装置。
【請求項３】
前記位置検出手段は、正弦波状のＰＷＭ信号を出力可能に構成されていることを特徴とする請求項１または２記載のモータ制御装置。
【請求項４】
前記位置検出手段に対し、前記誘起電圧を演算するために必要な仮想中性点電圧を生成して付与するための抵抗回路を備えたことを特徴とする請求項１乃至３の何れか一項に記載のモータ制御装置。
【請求項５】
前記位置検出手段に対し、前記仮想中性点電圧と、外部より与えられる前記モータの中性点電圧とを選択して入力するための電圧選択手段を備えたことを特徴とする請求項４記載のモータ制御装置。
【請求項６】
前記ディジタル処理手段における前記回転位置信号の入力ポートに、前記位置検出回路手段によって出力される回転位置信号と、外部より与えられる前記モータの回転位置信号とを選択して入力するための位置信号選択手段を備えたことを特徴とする請求項１乃至５の何れかに記載のモータ制御装置。
【請求項７】
永久磁石を有するロータと多相巻線を設けたステータとからなる永久磁石モータと、
請求項１乃至６の何れかに記載のモータ制御装置と、
前記モータの巻線の電流を検出する電流検出手段と、
前記モータ制御装置より出力されるＰＷＭ信号に基づいて、前記モータを駆動するインバータ回路とを備えたことを特徴とするモータ制御システム。
【請求項８】
請求項１乃至６の何れか一項に記載のモータ制御装置を備えたことを特徴とする電子機器。
【請求項９】
永久磁石を有するロータと多相巻線を設けたステータとからなる永久磁石モータをＰＷＭ（Pulse Width Modulation）制御する方法において、
前記ロータの回転位置信号に基づいて、ＰＷＭ信号を生成出力する機能を備えたマイクロコンピュータを使用する場合に、
前記回転位置信号を、位置検出回路が、前記モータの電圧，前記モータの電流，前記モータの定数より相電圧方程式に基づいて前記モータの各相誘起電圧をアナログ演算処理し、前記誘起電圧の位相関係に基づいて生成出力することを特徴とするモータ制御方法。
【請求項１０】
前記位置検出手段は、前記ＰＷＭ信号の所定の制御周期内において、前記回転位置信号を生成する演算を完了するように構成されていることを特徴とする請求項９記載のモータ制御方法。
【手続補正２】
【補正対象書類名】明細書
【補正対象項目名】発明の名称
【補正方法】変更
【補正の内容】
【発明の名称】モータ制御装置，モータ制御システム，モータ制御方法及び電子機器
【手続補正３】
【補正対象書類名】明細書
【補正対象項目名】０００６
【補正方法】変更
【補正の内容】
【０００６】
また本発明の別の態様として、上述のモータ制御装置を備えたことを特徴とする電子機器が提供される。
【手続補正４】
【補正対象書類名】明細書
【補正対象項目名】０００８
【補正方法】変更
【補正の内容】
【０００８】
本発明のモータ制御装置及び電子機器によれば、コストを抑制し、より高速で、より制御性の良い、モータの制御を実現することができる。
本発明のモータ制御システムによれば、コストを抑制し、より高速で、より制御性の良い、モータの制御を実現するシステムを構成することができる。
【手続補正５】
【補正対象書類名】明細書
【補正対象項目名】００１０
【補正方法】変更
【補正の内容】
【００１０】
（第１の実施形態）
以下、本発明の第１実施例について図１乃至図９を参照して説明する。図１は、ブラシレスＤＣモータの駆動制御ＩＣの構成を示している。図１において、駆動制御ＩＣ１（半導体装置（または半導体集積回路装置）、またはモータ制御装置の一例に相当）は、例えば（株）東芝の製品，８ビットマイクロコントローラ，ＴＭＰ８８ＣＨ４１のように、モータをＰＷＭ制御により正弦波駆動する機能を内蔵したマイクロコンピュータ（以下マイコン）２と、位置検出回路３とを搭載して構成されている。そして、駆動制御ＩＣ１を１つのＩＣパッケージ内に収めることで、外観的には、駆動制御ＩＣ１自体を１つのマイコンとみなすことができる。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
第１から第３のバッファと、前記第１のバッファからの読み出し処理、前記第２のバッファへの書き込み処理を行うバッファ制御装置と、前記バッファ制御装置からの指令に従って前記第１から第３のバッファを切り替えるセレクタと、を備え、
前記バッファ制御装置は、前記読み出し処理および前記書き出し処理が終了したときに、
（１）前記第３のバッファにデータが無ければ、前記第２のバッファと前記第１のバッファとの切り替え制御、
（２）前記第３のバッファにデータがあれば、前記第３のバッファと前記第１のバッファとの切り替え制御のいずれかを行うこと、
を特徴とするデータ転送装置。
【請求項２】
前記バッファ制御装置は、前記書き込み処理が終了したときに、前記第１のバッファにデータがあり、かつ、前記第３のバッファにデータが無ければ、前記第２のバッファと前記第３のバッファとの切り替え制御を行うこと、
を特徴とする請求項１に記載のデータ転送装置。
【請求項３】
請求項２に記載のデータ転送装置において、
前記バッファ制御装置は、
前記第２のバッファへの書き込み完了時にオン状態にセットされる書き込みバッファ有効フラグと、前記第１のバッファからの読み出し完了時にオフ状態にセットされる読み出しバッファ有効フラグと、前記第３のバッファにデータが格納されている場合にオン状態にセットされる中間バッファ有効フラグと、を記憶する記憶部と、
前記３つの有効フラグの状態を制御するバッファ制御回路と、を備え、
前記切り替え制御を行った場合に、前記バッファ制御回路が、切り替えの対象となった２つのバッファの有効フラグの状態を反転させるデータ転送装置。
【請求項４】
データ転送方式の選択状態を保持するデータ転送方式選択レジスタをさらに備え、
前記バッファ制御回路は、前記データ転送方式選択レジスタに所定値がセットされた状態において、前記第１のバッファが所定時間未参照状態である場合、前記第１のバッファをクリアすること、
を特徴とする請求項１乃至３いずれか一に記載のデータ転送装置。
【請求項５】
データ転送方式の選択状態を保持するデータ転送方式選択レジスタをさらに備え、
前記バッファ制御回路は、前記データ転送方式選択レジスタに所定値がセットされた状態において、前記第１から第３のバッファが所定時間未参照状態であった場合、前記第３のバッファをクリアすること、
を特徴とする請求項１乃至３いずれか一に記載のデータ転送装置。
【請求項６】
データ転送方式の選択状態を保持するデータ転送方式選択レジスタをさらに備え、
前記バッファ制御回路は、前記データ転送方式選択レジスタに所定値がセットされた状態においては、データ参照側から受信完了通知を受け取ってから、前記第１のバッファをクリアすること、
を特徴とする請求項１乃至３いずれか一に記載のデータ転送装置。
【請求項７】
バッファの分割数を切り替えるバッファ分割選択レジスタをさらに備え、
前記バッファ制御回路は、前記バッファ分割選択レジスタに所定値がセットされた状態において、前記第１から第３のバッファを用いてダブルバッファを構成し、ＦＩＦＯ制御を実行すること、
を特徴とする請求項１乃至６いずれか一に記載のデータ転送装置。
【請求項８】
請求項１乃至７いずれかのデータ転送装置を搭載した画像処理装置。
【請求項９】
第１から第３のバッファと、前記第１のバッファからの読み出し処理、前記第２のバッファへの書き込み処理を行うバッファ制御装置と、前記バッファ制御装置からの指令に従って前記第１から第３バッファを切り替えるセレクタと、を備え、データ提供部からデータ参照部へとデータを転送するデータ転送装置におけるデータ転送制御方法であって、
前記読み出し処理および前記書き出し処理が終了したときに、
（１）前記第３のバッファにデータが無ければ、前記第２のバッファと第１のバッファとを切り替えるステップ、
（２）前記第３のバッファにデータがあれば、前記第３のバッファと前記第１のバッファとを切り替えるステップ、のいずれかを行うこと、
を特徴とするデータ転送制御方法。
【請求項１０】
請求項９に記載のデータ転送制御方法において、
前記書き込み処理が終了したときに、前記第１のバッファにデータがあり、かつ、前記第３のバッファにデータが無ければ、前記第２のバッファと前記第３のバッファとを切り替えるステップを行うこと、
を特徴とするデータ転送制御方法。
【請求項１１】
請求項１０に記載のデータ転送制御方法であって、
前記２つのバッファを切り替えるいずれかのステップを行った場合に、
前記第２のバッファへの書き込み完了時にオン状態にセットされる書き込みバッファ有効フラグと、前記第１のバッファからの読出し完了時にオフ状態にセットされる読み出しバッファ有効フラグと、前記第３のバッファに参照の有効データが格納されている場合にオン状態にセットされる中間バッファ有効フラグと、のうち、それぞれ切り替えを行ったバッファの有効フラグの状態を反転させること、
を特徴とするデータ転送制御方法。
【手続補正２】
【補正対象書類名】明細書
【補正対象項目名】０００９
【補正方法】変更
【補正の内容】
【０００９】
本発明の第１の視点によれば、少なくとも第１から第３の３つのバッファに分割可能な物理バッファと、前記第１のバッファからの読み出し処理、前記第２のバッファへの書き込み処理を行うバッファ制御装置と、前記バッファ制御装置からの指令に従って前記第１から第３のバッファを選択するセレクタと、を備え、前記バッファ制御装置は、前記読み出し処理および前記書き出し処理が終了したときに、（１）前記第３のバッファにデータが無ければ、前記第２のバッファと前記第１のバッファとの切り替え制御、（２）前記第３のバッファにデータがあれば、前記第３のバッファと前記第１のバッファとの切り替え制御のいずれかを行うことを特徴とするデータ転送装置が提供される。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
シリアライゼーションシステムにおいて、
アイテムに関連するエンティティを識別する識別コンポーネントと、
前記アイテムと、前記関連エンティティと、前記アイテムおよび関連エンティティに関連する情報を提供するヘッダとをシリアライズするシリアライゼーションコンポーネントと
を備えたことを特徴とするシリアライゼーションシステム。
【請求項２】
前記関連エンティティが、出リンク、入リンク、埋込みアイテム、エクステンション、アイテムフラグメントおよびバッキングファイルの少なくとも１つを含むことを特徴とする請求項１に記載のシステム。
【請求項３】
前記アイテムおよび関連エンティティのシリアライゼーションの開始が要求に基づくことを特徴とする請求項１に記載のシステム。
【請求項４】
前記関連エンティティの識別が、前記要求に関連するコンテクストに関連するセキュリティ情報に少なくとも部分的に基づくことを特徴とする請求項３に記載のシステム。
【請求項５】
前記関連エンティティの識別が、前記関連エンティティに関連するアクセス制御リストにさらに基づくことを特徴とする請求項４に記載のシステム。
【請求項６】
前記ヘッダが、前記アイテムおよび前記関連エンティティへのランダムアクセスを容易にすることを特徴とする請求項１に記載のシステム。
【請求項７】
前記システムと、前記アイテムのシリアライゼーションに関連するアプリケーションとの間の通信を容易にするアプリケーションプログラムインタフェースをさらに備えたことを特徴とする請求項１に記載のシステム。
【請求項８】
前記アプリケーションプログラムインタフェースが、前記アイテムおよび前記関連エンティティのエクスポート、バックアップ、リストアおよびコピーの少なくとも１つを容易にすることを特徴とする請求項７に記載のシステム。
【請求項９】
前記アプリケーションプログラムインタフェースがシリアライゼーションオプションに関連する情報を受け取り、該シリアライゼーションオプションは、複数の関連エンティティのうちのいずれを前記アイテムとともにシリアライズすべきかを選択するために使用されることを特徴とする請求項７に記載のシステム。
【請求項１０】
前記アプリケーションプログラムインタフェースがファイルシステムレベルで公開されることを特徴とする請求項７に記載のシステム。
【請求項１１】
前記アプリケーションプログラムインタフェースがストアドプロシジャレベルで公開されることを特徴とする請求項７に記載のシステム。
【請求項１２】
前記アプリケーションプログラムインタフェースが前記シリアライゼーションをバイト配列として返すことを特徴とする請求項７に記載のシステム。
【請求項１３】
前記アプリケーションプログラムインタフェースが前記シリアライゼーションに関連するポインタまたはファイル名を返すことを特徴とする請求項７に記載のシステム。
【請求項１４】
前記関連エンティティが埋込みアイテムを含み、前記システムがさらに、該埋込みアイテムを再帰的にシリアライズすることを特徴とする請求項１に記載のシステム。
【請求項１５】
請求項１に記載のシステムによって生成された前記シリアライゼーションを受け取ることを特徴とするデシリアライゼーションシステム。
【請求項１６】
アイテムのシリアライゼーションを容易にする方法において、
前記アイテムをシリアライズし、
前記アイテムに関連する少なくとも１つのエンティティを識別し、
前記関連エンティティをシリアライズする
ことを特徴とする、アイテムのシリアライゼーションを容易にする方法。
【請求項１７】
前記アイテムをシリアライズすることを求める要求を受け取ること、
前記アイテムおよび関連エンティティに関連する情報を含むヘッダをシリアライズすること、
シリアライゼーション長およびヘッダオフセットをシリアライズすること
の少なくとも１つをさらに含むことを特徴とする請求項１６に記載の方法。
【請求項１８】
前記関連エンティティが、出リンク、入リンク、埋込みアイテム、エクステンション、アイテムフラグメント、セキュリティ情報およびバッキングファイルの少なくとも１つを含むことを特徴とする請求項１６に記載の方法。
【請求項１９】
請求項１６に記載の方法を実行するためのコンピュータ実行可能命令を格納したことを特徴とするコンピュータ可読記録媒体。
【請求項２０】
２つ以上のコンピュータコンポーネント間で伝送される、アイテムのシリアライズされた転送を容易にするデータパケットにおいて、
シリアライゼーション長フィールドと、
ヘッダオフセットフィールドと、
コアアイテムフィールドと、
少なくとも１つの関連エンティティを含むフィールドと、
前記アイテムおよび関連エンティティに関連する情報を提供するヘッダフィールドと  を備えたことを特徴とするデータパケット。
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
アクセス可能なメタデータ・ストアを生成するコンピュータ実装方法であって、
表面ビュー・データおよびメタデータを含むソース文書をソース・アプリケーション上で生成するステップと、
前記ソース文書のメタデータをマークアップ言語（ＭＬ）文書内に構成するステップと、
前記ソース文書のメタデータを含む前記ＭＬ文書を前記ソース文書の表面ビュー・データと分かれた前記メタデータ・ストアに記憶するステップと、
他のアプリケーションのオブジェクトモデルを介した前記他のアプリケーションの前記ＭＬ文書に対するアクセスを提供するアプリケーション・プログラミング・インタフェース（ＡＰＩｓ）を前記メタデータ・ストアに公開するステップとを備え、前記メタデータ・ストアに対して公開されたＡＰＩは、前記他のアプリケーションが、
前記ＭＬ文書に関連付けられたメタデータを読み取ること、
前記ＭＬ文書に関連付けられたメタデータに対する変更を監視すること、
前記ＭＬ文書に関連付けられたメタデータを変更すること、
前記ＭＬ文書に関連付けられたメタデータに対する変更の通知を受信すること、および
前記ＭＬ文書に関連付けられたメタデータに対する変更を元に戻すことを可能にすることを特徴とする方法。
【請求項２】
前記ＭＬ文書は拡張マークアップ言語（ＸＭＬ）文書であることを特徴とする請求項１に記載のコンピュータ実装方法。
【請求項３】
前記ソース文書のメタデータをＭＬ文書内に構成するステップは前記メタデータを複数のＭＬ文書内に構成するステップを含み、前記複数のＭＬ文書の各々は前記ソース文書のメタデータの部分を含むことを特徴とする請求項１に記載のコンピュータ実装方法。
【請求項４】
前記ＭＬ文書はスキーマ・ファイルにより妥当性が確認されることを特徴とする請求項１に記載のコンピュータ実装方法。
【請求項５】
前記メタデータに対する変更が前記メタデータ・ストアにおいて受信された場合、前記メタデータ・ストアは変更通知を前記他のアプリケーションに送信することを特徴とする請求項１に記載のコンピュータ実装方法。
【請求項６】
前記表面ビュー・データは前記メタデータ・ストアと分かれたデータ・ストアに記憶されることを特徴とする請求項１に記載のコンピュータ実装方法。
【請求項７】
前記公開されたＡＰＩは、他のアプリケーションが、同時に
前記ＭＬ文書に関連付けられたメタデータを読み取ること、
前記ＭＬ文書に関連付けられたメタデータに対する変更を監視すること、
前記ＭＬ文書に関連付けられたメタデータを変更すること、
前記ＭＬ文書に関連付けられたメタデータに対する変更の通知を受信すること、および
前記ＭＬ文書に関連付けられたメタデータに対する変更を元に戻すことを可能にすることを特徴とする方法。
【請求項８】
アクセス可能なメタデータ・ストアを生成するためにプロセッサ上で実行するコンピュータ実行可能命令を有するコンピュータ読み取り可能な記憶媒体であって、前記命令は、
メタデータを含むソース文書をソース・アプリケーション上で生成するステップと、
前記ソース文書のメタデータをマークアップ言語（ＭＬ）の文書内に構成するステップと、
前記ソース文書のメタデータを含む前記ＭＬ文書を前記メタデータ・ストアに記憶するステップと、
前記ソース文書のメタデータを含む前記ＭＬ文書に対する他のアプリケーションのアクセスを提供するアプリケーション・プログラミング・インタフェース（ＡＰＩｓ）を前記メタデータ・ストアに公開するステップとを備え、前記メタデータ・ストアに対して公開されたＡＰＩは、前記他のアプリケーションが、
前記ＭＬ文書に関連付けられたメタデータを読み取ること、
前記ＭＬ文書に関連付けられたメタデータに対する変更を監視すること、および
前記ＭＬ文書に関連付けられたメタデータを変更することを可能にすることを特徴とするコンピュータ読み取り可能記憶媒体。
【請求項９】
前記ＭＬ文書は拡張マークアップ言語（ＸＭＬ）文書であることを特徴とする請求項８に記載のコンピュータ読み取り可能記憶媒体。
【請求項１０】
前記ソース文書のメタデータをＭＬ文書内に構成するステップは前記メタデータを複数のＭＬ文書内に構成するステップを含み、前記複数のＭＬ文書の各々は前記ソース文書のメタデータの部分を含むことを特徴とする請求項８に記載のコンピュータ読み取り可能記憶媒体。
【請求項１１】
前記ＭＬ文書はスキーマ・ファイルにより妥当性が確認されることを特徴とする請求項８に記載のコンピュータ読み取り可能記憶媒体。
【請求項１２】
前記メタデータに対する変更が前記メタデータ・ストアにおいて受信された場合、前記メタデータ・ストアは変更通知を前記他のアプリケーションに送信することを特徴とする請求項８に記載のコンピュータ読み取り可能記憶媒体。
【請求項１３】
前記公開されたＡＰＩは、他のアプリケーションが、同時に
前記ＭＬ文書に関連付けられたメタデータを読み取ること、
前記ＭＬ文書に関連付けられたメタデータに対する変更を監視すること、および
前記ＭＬ文書に関連付けられたメタデータを変更することを可能にすることを特徴とする請求項８に記載のコンピュータ読み取り可能記憶媒体。
【請求項１４】
アクセス可能なメタデータ・ストアを生成するシステムであって、
プロセッサと、
メタデータを含むソース文書をソース・アプリケーション上で生成し、
前記ソース文書のメタデータをマークアップ言語（ＭＬ）の文書内に構成し、
前記ソース文書のメタデータを含む前記ＭＬ文書を前記メタデータ・ストアに記憶し、かつ
前記ソース・ファイルのメタデータを含む前記ＭＬ文書に対する他のアプリケーションのアクセスを提供するアプリケーション・プログラミング・インタフェース（ＡＰＩｓ）を前記メタデータ・ストアに公開するために実行されるコンピュータ実行可能命令を記憶しているメモリとを備え、前記メタデータ・ストアに対して公開されたＡＰＩは、前記他のアプリケーションが、同時に
前記ＭＬ文書に関連付けられたメタデータを読み取ること、
前記ＭＬ文書に関連付けられたメタデータに対する変更を監視すること、
前記ＭＬ文書に関連付けられたメタデータを変更すること、
前記ＭＬ文書に関連付けられたメタデータに対する変更の通知を受信すること、および
前記ＭＬ文書に関連付けられたメタデータに対する変更を元に戻すことを可能にすることを特徴とするシステム。
【請求項１５】
前記ＭＬ文書は拡張マークアップ言語（ＸＭＬ）文書であることを特徴とする請求項１４に記載のシステム。
【請求項１６】
前記ソース文書のメタデータをＭＬ文書内に構成することは前記メタデータを複数のＭＬ文書内に構成することを含み、前記複数のＭＬ文書の各々は前記ソース文書のメタデータの部分を含むことを特徴とする請求項１４に記載のシステム。
【請求項１７】
前記ＭＬ文書はスキーマ・ファイルにより妥当性が確認されることを特徴とする請求項１４に記載のシステム。
【請求項１８】
前記メタデータに対する変更が前記メタデータ・ストアにおいて受信された場合、前記メタデータ・ストアは変更通知を前記他のアプリケーションに送信することを特徴とする請求項１４に記載のシステム。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
互いにネットワークで接続されたサーバとクライアントを含み、
上記サーバは、
少なくともアプリケーションプログラムおよびリソースデータを記憶する記憶部と、
上記クライアントから、アプリケーションＩＤとプロファイルデータとを受信する受信部と、
上記アプリケーションＩＤに対応するアプリケーションプログラムを上記記憶部から検索するとともに、検索された上記アプリケーションプログラムが参照するリソースデータを上記記憶部から検索する検索部と、
上記プロファイルデータに基づいて、検索された上記リソースデータを変換する変換部と、
上記検索部により検索された上記アプリケーションプログラムと、上記変換部により変換された上記リソースデータとを、上記クライアントに提供するデータ提供部とを有し、
上記クライアントは、
アプリケーションが選択された場合に、選択された上記アプリケーションに対応する上記アプリケーションＩＤと上記クライアントの特性を表す上記プロファイルデータを、上記ネットワークを介して上記サーバに送信する送信部と、
上記送信部による上記アプリケーションＩＤと上記プロファイルデータの送信に応答して上記サーバが提供した上記アプリケーションプログラムおよび上記リソースデータを取得するデータ取得部と、
上記データ取得部によって取得した上記アプリケーションプログラムを、上記データ取得部によって取得した上記リソースデータを参照して上記クライアント上で実行するよう制御する実行制御部と
を有する
ことを特徴とするアプリケーション提供システム。
【請求項２】
少なくともアプリケーションプログラムおよびリソースデータを記憶する記憶部と、
ネットワークを介して接続されたクライアントから、アプリケーションＩＤと上記クライアントの特性を表すプロファイルデータを受信する受信部と、
上記アプリケーションＩＤに対応するアプリケーションプログラムを上記記憶部から検索するとともに、検索された上記アプリケーションプログラムが参照するリソースデータを上記記憶部から検索する検索部と、
上記プロファイルデータに基づいて、検索された上記リソースデータを変換する変換部と、
上記検索部により検索された上記アプリケーションプログラムと、上記変換部により変換された上記リソースデータとを、上記クライアントに提供するデータ提供部と
を有する
ことを特徴としたサーバ。
【請求項３】
請求項２に記載のサーバにおいて、
上記プロファイルデータは、上記クライアントの少なくとも表示解像度を示す情報を含み、
上記リソースデータは、少なくともＧＵＩコンポーネントの配置情報を含む
ことを特徴とするサーバ。
【請求項４】
請求項３に記載のサーバにおいて、
上記変換部は、
上記プロファイルデータに含まれる上記表示解像度を示す情報に基づき、上記リソースデータに含まれる上記配置情報を変更する
ことを特徴とするサーバ。
【請求項５】
請求項３に記載のサーバにおいて、
上記記憶部に記憶される上記リソースデータは、予め作成された、異なる複数のアスペクト比にそれぞれ対応した複数の上記配置情報を含み、
上記変換部は、
上記プロファイルデータに含まれる上記表示解像度を示す情報に基づき、上記リソースデータに含まれる上記複数の配置情報から１つを選択する
ことを特徴とするサーバ。
【請求項６】
請求項５に記載のサーバにおいて、
上記変換部は、上記リソースデータに含まれる上記複数の配置情報に対応した上記アスペクト比のそれぞれと、上記表示解像度を示す情報から計算されるアスペクト比とを比較して、上記複数の配置情報のうち最も近いアスペクト比に対応する配置情報を選択する
ことを特徴とするサーバ。
【請求項７】
請求項５に記載のサーバにおいて、
上記変換部は、上記表示解像度を示す情報から計算されるアスペクト比を閾値により判断して、上記複数の配置情報から１つを選択する
ことを特徴とするサーバ。
【請求項８】
アプリケーションが選択された場合に、選択された上記アプリケーションに対応するアプリケーションＩＤと自身の特性を表す上記プロファイルデータを、ネットワークを介して接続されたサーバに送信する送信部と、
上記送信部による上記アプリケーションＩＤと上記プロファイルデータの送信に応答して上記サーバが提供したアプリケーションプログラムおよびリソースデータを取得するデータ取得部と、
上記データ取得部によって取得した上記アプリケーションプログラムを、上記データ取得部によって取得した上記リソースデータを参照して実行するよう制御する実行制御部と
を有する
ことを特徴とするクライアント。
【請求項９】
クライアント上でアプリケーションが選択された場合に、選択された上記アプリケーションに対応するアプリケーションＩＤと上記クライアントの特性を表すプロファイルデータとを、ネットワークを介して接続されたサーバに送信する送信ステップと、
上記サーバ上で、上記クライアントから送信された上記アプリケーションＩＤと上記プロファイルデータとを受信する受信ステップと、
上記サーバ上で、上記アプリケーションＩＤに対応するアプリケーションプログラムを記憶部から検索するとともに、検索された上記アプリケーションプログラムが参照するリソースデータを上記記憶部から検索する検索ステップと、
上記サーバ上で、上記プロファイルデータに基づいて、検索された上記リソースデータを変換する変換ステップと、
上記サーバ上で、上記検索ステップにより検索された上記アプリケーションプログラムと、上記変換ステップにより変換された上記リソースデータとを、上記クライアントに提供するデータ提供ステップと、
上記クライアント上で、上記データ提供ステップにより上記サーバから提供された上記アプリケーションプログラムおよび上記リソースデータを取得するデータ取得ステップと、
上記クライアント上で、上記データ取得ステップによって取得した上記アプリケーションプログラムを、上記データ取得ステップによって取得した上記リソースデータを参照して実行するよう制御する実行制御ステップと
を有する
ことを特徴とするアプリケーション提供方法。